(57)【特許請求の範囲】
【請求項１】
移動通信装置との間で無線通信が可能な自装置のカバーエリアに含まれる各位置を特定する特定部と、
前記移動通信装置がアクセス不能なデータベースから、前記特定部によって特定された各位置において、前記無線通信の通信システムより優先的に周波数を使用する特定の通信システムにおいて使用されておらず前記無線通信に使用可能な周波数を示す周波数情報を取得する取得部と、
前記取得部によって取得された周波数情報に基づいて、前記使用可能な周波数の中から、前記使用可能な周波数の他の周波数よりも前記無線通信が可能な位置が多い周波数を選択する選択部と、
前記選択部によって選択された周波数と前記各位置とを対応付ける対応情報を無線信号により前記カバーエリアへ報知する報知部と、
を備えることを特徴とする通信装置。
【請求項２】
前記報知部は、前記カバーエリアのうちの前記使用可能な周波数により前記無線通信が可能な位置を示す前記対応情報を、前記使用可能な周波数と同じ周波数の無線信号により報知することを特徴とする請求項１に記載の通信装置。
【請求項３】
前記報知部は、前記カバーエリアのうちの前記使用可能な周波数により前記無線通信が可能な範囲を近似的に示す前記対応情報を無線信号により報知することを特徴とする請求項１に記載の通信装置。
【請求項４】
移動通信装置との間で無線通信が可能な自装置のカバーエリアに含まれる各位置を特定し、前記移動通信装置がアクセス不能なデータベースから、特定した各位置において、前記無線通信の通信システムより優先的に周波数を使用する特定の通信システムにおいて使用されておらず前記無線通信に使用可能な周波数を示す周波数情報を取得し、取得した周波数情報に基づいて、前記使用可能な周波数の中から、前記使用可能な周波数の他の周波数よりも前記無線通信が可能な位置が多い周波数を選択し、選択した周波数と前記各位置とを対応付ける対応情報を無線信号により前記カバーエリアへ報知する通信装置と、
前記通信装置から前記通信装置のカバーエリアへ報知される無線信号を受信し、受信した無線信号から前記対応情報を取得し、自装置の位置を特定し、特定した位置に対応する前記使用可能な周波数を、取得した対応情報から検索し、検索した周波数によって前記通信装置との間で前記無線通信を行う移動通信装置と、
を含むことを特徴とする通信システム。
【請求項５】
通信装置と移動通信装置との間で無線通信が可能な前記通信装置のカバーエリアに含まれる各位置を特定し、
前記移動通信装置がアクセス不能なデータベースから、特定した各位置において、前記無線通信の通信システムより優先的に周波数を使用する特定の通信システムにおいて使用されておらず前記無線通信に使用可能な周波数を示す周波数情報を取得し、
取得した周波数情報に基づいて、前記使用可能な周波数の中から、前記使用可能な周波数の他の周波数よりも前記無線通信が可能な位置が多い周波数を選択し、
選択した周波数と前記各位置とを対応付ける対応情報を前記通信装置が無線信号により前記カバーエリアへ報知し、
前記無線信号を前記移動通信装置が受信し、
受信した前記無線信号から前記対応情報を取得し、
前記移動通信装置の位置を特定し、
特定した前記位置に対応する前記使用可能な周波数を、取得した前記対応情報から検索し、
検索した前記周波数によって前記通信装置と前記移動通信装置との間で前記無線通信を行うことを特徴とする通信方法。
【請求項６】
他の通信装置と移動通信装置との間で無線通信が可能な前記他の通信装置のカバーエリアに含まれる各位置を特定する特定部と、
前記移動通信装置がアクセス不能なデータベースから、前記特定部によって特定された各位置において、前記無線通信の通信システムより優先的に周波数を使用する特定の通信システムにおいて使用されておらず前記無線通信に使用可能な周波数を示す周波数情報を取得する取得部と、
前記取得部によって取得された周波数情報に基づいて、前記使用可能な周波数の中から、前記使用可能な周波数の他の周波数よりも前記無線通信が可能な位置が多い周波数を選択する選択部と、
前記選択部によって選択された周波数と前記各位置とを対応付ける対応情報を前記他の通信装置へ送信する送信部と、
を備えることを特徴とする通信装置。
【請求項７】
移動通信装置と、
自装置のカバーエリアに位置する前記移動通信装置との間で無線通信を行う第一通信装置と、
前記カバーエリアに含まれる各位置を特定し、前記移動通信装置がアクセス不能なデータベースから、特定した各位置において、前記無線通信の通信システムより優先的に周波数を使用する特定の通信システムにおいて使用されておらず前記無線通信に使用可能な周波数を示す周波数情報を取得し、取得した周波数情報に基づいて、前記使用可能な周波数の中から、前記使用可能な周波数の他の周波数よりも前記無線通信が可能な位置が多い周波数を選択し、選択した周波数と前記各位置とを対応付ける対応情報を送信する第二通信装置と、
を含み、
前記第一通信装置は、前記第二通信装置によって送信された対応情報を無線信号により前記カバーエリアへ報知し、
前記移動通信装置は、前記第一通信装置から報知される無線信号を受信し、受信した無線信号から前記対応情報を取得し、自装置の位置を特定し、特定した位置に対応する前記使用可能な周波数を、取得した対応情報から検索し、検索した周波数によって前記第一通信装置との間で前記無線通信を行うことを特徴とする通信システム。
【発明の詳細な説明】
【技術分野】
【０００１】
本発明は、通信装置、移動通信装置、通信システムおよび通信方法に関する。
【背景技術】
【０００２】
近年、無線トラフィックが急速に増大し続けており、有限な資源である周波数に対する需要が増え続けている。周波数の有効使用を図る手段の１つとして、周囲の電波環境を認知して最適な通信を行うコグニティブ無線技術に関する検討が進んでいる。たとえば、ホワイトスペース型（あるいは周波数共用型）コグニティブ無線として、各周波数を優先的に使用できるシステムに干渉しないように、時間、場所に応じて周波数のホワイトスペース（ＷＳ：Ｗｈｉｔｅ  Ｓｐａｃｅ）を見つけて通信を行う機能が知られている。たとえば米国においてはＴＶホワイトスペース（ＴＶＷＳ）の通信利用が検討されている。
【０００３】
ホワイトスペース型のコグニティブ無線においては、たとえば、周波数を使用する優先権のあるシステムをプライマリシステムまたは１次システム、ホワイトスペースを見つけて通信を行うシステムはセカンダリシステムまたは２次システムと呼ばれる。ＴＶＷＳの場合は、ＴＶ放送がプライマリシステムとなる。
【０００４】
ＴＶ放送にはＵＨＦ（Ｕｌｔｒａ  Ｈｉｇｈ  Ｆｒｅｑｕｅｎｃｙ：極超短波）帯などで広い周波数帯域が割り当てられており、地域によって使用されている周波数（物理的なＴＶチャネル）が異なるだけでなく、時間方向の変動が少ない。このような準静的なＴＶＷＳを見つける方法として、センシング方式とデータベースアクセス方式などがある。たとえばＦＣＣ（Ｆｅｄｅｒａｌ  Ｃｏｍｍｕｎｉｃａｔｉｏｎｓ  Ｃｏｍｍｉｓｓｉｏｎ）によって発表されたルールでもセンシング方式やデータベースアクセス方式などについて規定されている。
【０００５】
データベースアクセス方式においては、たとえばセカンダリシステムがネットワーク上のデータベースにアクセスしてホワイトスペースを示すＷＳ情報を取得する。データベースは、たとえば、ＴＶ放送の送信局の位置、送信電力、送信周波数などの情報から計算されたＷＳ情報を位置情報と関連付けたものとなっている。ＦＣＣのルールにおいては、データベースアクセス方式を使用するセカンダリシステムがＴＶＷＳを使用するのに少なくとも１日に１回以上データベースにアクセスすることが定められている。
【０００６】
一方、コグニティブ無線において、無線端末が、データベース装置から配布された利用可能周波数と通信距離を含む通信に必要なパラメータから、利用周波数を決定する技術が知られている（たとえば、下記特許文献１参照。）。
【先行技術文献】
【特許文献】
【０００７】
【特許文献１】特開２００７−１８４８５０号公報
【発明の概要】
【発明が解決しようとする課題】
【０００８】
しかしながら、上述した従来技術では、セカンダリシステムに属し、ＷＳ情報を提供するサーバへのアクセス機能を持たない移動通信装置等は、自装置の位置においていずれの周波数がホワイトスペースとなっているかを判別できない。このため、移動通信装置が無線通信に使用可能な周波数が、たとえば基地局のカバーエリア全域で使用可能な周波数等に制限され、周波数の利用効率が低くなる場合がある。
【０００９】
１つの側面では、本発明は、周波数の利用効率の向上を図ることができる通信装置、移動通信装置、通信システムおよび通信方法を提供することを目的とする。
【課題を解決するための手段】
【００１０】
上述した課題を解決し、目的を達成するため、本発明の一側面によれば、通信装置と移動通信装置との間で無線通信が可能な前記通信装置のカバーエリアに含まれる各位置を特定し、前記無線通信に使用可能な周波数を位置ごとに示す情報を含み前記移動通信装置がアクセスできないデータベースから、特定した各位置において前記無線通信に使用可能な周波数を示す周波数情報を取得し、取得した周波数情報に基づく、前記各位置と前記使用可能な周波数とを対応付ける情報を無線信号により前記カバーエリアへ報知し、報知した無線信号を受信し、受信した無線信号から前記対応付ける情報を取得し、移動通信装置の位置を特定し、特定した位置に対応する前記使用可能な周波数を、取得した前記対応付ける情報から検索し、検索した周波数によって前記通信装置と前記移動通信装置との間で前記無線通信を行う通信装置、移動通信装置、通信システムおよび通信方法が提案される。
【発明の効果】
【００１１】
本発明の一側面によれば、周波数の利用効率の向上を図ることができるという効果を奏する。
【図面の簡単な説明】
【００１２】
【図１−１】図１−１は、実施の形態１にかかる通信装置の構成の一例を示す図である。
【図１−２】図１−２は、実施の形態１にかかる通信装置の構成の他の例を示す図である。
【図２−１】図２−１は、実施の形態１にかかる移動通信装置の構成の一例を示す図である。
【図２−２】図２−２は、実施の形態１にかかる移動通信装置の構成の他の例を示す図である。
【図２−３】図２−３は、実施の形態１にかかる移動通信装置の構成のさらに他の例を示す図である。
【図３】図３は、実施の形態１にかかる通信システムの一例を示す図である。
【図４−１】図４−１は、基地局のハードウェア構成の一例を示す図である。
【図４−２】図４−２は、移動通信装置のハードウェア構成の一例を示す図である。
【図４−３】図４−３は、データベースサーバのハードウェア構成の一例を示す図である。
【図５】図５は、実施の形態１にかかる基地局による動作の一例を示すフローチャートである。
【図６】図６は、実施の形態１にかかる移動通信装置による動作の一例を示すフローチャートである。
【図７】図７は、カバーエリアに含まれる各位置の一例を示す図である。
【図８】図８は、基地局によって送信される位置情報の一例を示す図である。
【図９】図９は、カバーエリアに含まれる各位置の具体例を示す図である。
【図１０】図１０は、各位置における使用可能な周波数の具体例を示す図である。
【図１１】図１１は、各周波数がホワイトスペースとなる位置の具体例を示す図である。
【図１２】図１２は、基地局の送信フレームの具体例を示す図である。
【図１３】図１３は、基地局が送信する周波数ごとの無線信号の具体例を示す図である。
【図１４】図１４は、移動通信装置による無線信号の復号処理の一例を示すブロック図である。
【図１５】図１５は、実施の形態２にかかる通信装置の構成の一例を示す図である。
【図１６−１】図１６−１は、各周波数のＷＳエリアの一例を示す図である。
【図１６−２】図１６−２は、実施の形態２にかかる通信システムによる動作の一例を示す図である。
【図１７】図１７は、実施の形態２にかかる基地局による動作の一例を示すフローチャートである。
【図１８】図１８は、実施の形態２にかかる通信システムによる動作の他の例を示す図である。
【図１９】図１９は、実施の形態２にかかる基地局による動作の他の例を示すフローチャートである。
【図２０】図２０は、基地局が送信する周波数ごとの無線信号の具体例を示す図である。
【図２１】図２１は、実施の形態３にかかる通信装置の構成の一例を示す図である。
【図２２】図２２は、エリア情報の近似の一例を示す図である。
【図２３】図２３は、エリアの近似の具体例を示す図である。
【図２４】図２４は、エリアの近似処理の一例を示すフローチャートである。
【図２５】図２５は、エリアの分割の一例を示す図である。
【図２６】図２６は、エリアの分割処理の一例を示すフローチャートである。
【図２７】図２７は、エリアの分割の具体例を示す図である。
【図２８】図２８は、エリアの分割の別の例を示す図である。
【図２９】図２９は、エリアの分割処理の他の一例を示すフローチャートである。
【図３０】図３０は、実施の形態４にかかる通信装置（その１）の構成を示す図である。
【図３１】図３１は、実施の形態４にかかる通信装置（その２）の構成を示す図である。
【図３２】図３２は、実施の形態４にかかるデータベースサーバによる動作の一例を示すフローチャートである。
【図３３】図３３は、実施の形態４にかかる基地局３２０による動作の一例を示すフローチャートである。
【発明を実施するための形態】
【００１３】
以下に図面を参照して、本発明にかかる通信装置、移動通信装置、通信システムおよび通信方法の実施の形態を詳細に説明する。
【００１４】
（実施の形態１）
（実施の形態１にかかる通信装置の構成）
図１−１は、実施の形態１にかかる通信装置の構成の一例を示す図である。図１−１に示す通信装置１００は、通信装置１００（自装置）のカバーエリア内の移動通信装置との間で無線通信を行う無線通信装置である。通信装置１００は、たとえば移動通信装置との間で無線通信を行う基地局である。または、通信装置１００は、他の移動通信装置との間で無線通信（たとえば無線アドホック通信）を行う移動通信装置などであってもよい。
【００１５】
図１−１に示すように、通信装置１００は、特定部１１０と、取得部１３０と、報知部１４０と、を備えている。特定部１１０は、通信装置１００のカバーエリアに含まれる各位置を特定する。たとえば、通信装置１００のメモリには、通信装置１００のカバーエリアの範囲を示すカバーエリア情報が記憶されており、特定部１１０は、メモリに記憶されたカバーエリア情報を読み出すことでカバーエリアに含まれる各位置を特定する。
【００１６】
または、特定部１１０は、通信装置１００のカバーエリアの範囲を示すカバーエリア情報を他の通信装置から受信することによってカバーエリアに含まれる各位置を特定してもよい。または、特定部１１０は、通信装置１００が送信する無線信号の強度などに基づいて通信装置１００のカバーエリアの範囲を算出することによってカバーエリアに含まれる各位置を特定してもよい。
【００１７】
特定部１１０は、特定した各位置を取得部１３０へ通知する。図１−１に示す例では、特定部１１０は、通信装置１００のカバーエリアに含まれる各位置として位置ｐ２，…，ｐｍ（ｍは自然数）を特定したとする。この場合は、特定部１１０は、位置ｐ２，…，ｐｍを示す位置情報１１１を取得部１３０へ出力する。
【００１８】
データベース１２０は、通信装置１００と移動通信装置との間の無線通信に使用可能な周波数を位置ｐ１，…，ｐｍ，…ｐｎ（ｎはｍより大きい自然数）ごとに示す情報を含むデータベースである。位置ｐ１，…，ｐｍ，…ｐｎには、通信装置１００のカバーエリアに含まれる位置ｐ２，…，ｐｍが含まれている。データベース１２０は、通信装置１００の外部の装置（たとえばサーバ）のメモリに格納されたデータベースであってもよいし、通信装置１００のメモリに格納されたデータベースであってもよい。
【００１９】
取得部１３０は、特定部１１０から出力された位置情報１１１が示す各位置において移動通信装置との間の無線通信に使用可能な周波数を示す周波数情報をデータベース１２０から取得する。たとえば、データベース１２０が通信装置１００のメモリに格納されている場合は、取得部１３０は、メモリに格納されたデータベース１２０から周波数情報を読み出す。また、データベース１２０が通信装置１００の外部の装置のメモリに格納されている場合は、取得部１３０は、外部の装置から周波数情報を受信する。
【００２０】
図１−１に示す例では、特定部１１０から取得部１３０へ位置ｐ２，…，ｐｍが通知されている。このため、取得部１３０は、データベース１２０の位置ｐ１，…，ｐｍ，…ｐｎに関する周波数情報のうちの、位置ｐ２，…，ｐｍに関する周波数情報１３１をデータベース１２０から取得する。
【００２１】
取得部１３０は、取得した周波数情報１３１を報知部１４０へ出力する。周波数情報１３１においては、位置ｐ２には周波数Ｆ１，Ｆ２が対応付けられている。また、周波数情報１３１においては、位置ｐ３には周波数Ｆ１，Ｆ３が対応付けられている。また、周波数情報１３１においては、位置ｐｍには周波数Ｆ３が対応付けられている。
【００２２】
報知部１４０は、取得部１３０から出力された周波数情報１３１に基づく、位置ｐ２，…，ｐｍと使用可能な周波数とを対応付ける対応情報１４１を、無線信号１４２により通信装置１００のカバーエリアへ報知する。対応情報１４１は、たとえば、通信装置１００と移動通信装置との間の無線通信に使用可能な周波数を位置ｐ２，…，ｐｍごとに示す情報である。または、対応情報１４１は、通信装置１００と移動通信装置との間の無線通信が可能な位置ｐ２，…，ｐｍを周波数ごとに示す情報であってもよい。
【００２３】
また、通信装置１００は、移動通信装置との間で無線通信を行う通信部を備えている。通信装置１００の通信部は、報知部１４０によって報知された対応情報１４１によって移動通信装置が選択した周波数によって、移動通信装置との間で無線通信を行う。
【００２４】
このように、通信装置１００は、カバーエリア内の各位置における使用可能な周波数をデータベース１２０から取得してカバーエリア内で報知する。これにより、カバーエリア内の移動通信装置が自位置で使用可能な周波数を特定できるようになる。このため、たとえば、移動通信装置が自位置で使用可能な周波数を特定できずに通信装置１００のカバーエリア全体で使用可能な周波数を使用して無線通信を行う場合に比べて、周波数の利用効率を向上させることができる。
【００２５】
図１−２は、実施の形態１にかかる通信装置の構成の他の例を示す図である。図１−２において、図１−１に示した部分と同様の部分については同一の符号を付して説明を省略する。図１−２に示すように、取得部１３０は、データベース１２０の情報に基づいて、無線通信に使用可能な周波数のそれぞれについて、無線通信が可能な位置を示す位置情報を取得する。
【００２６】
図１−２に示す例では、取得部１３０は、通信装置１００と移動通信装置との間の無線通信に使用可能な周波数Ｆ１〜Ｆ３にそれぞれ対応する位置情報１５１〜１５３を取得する。位置情報１５１は、通信装置１００と移動通信装置との間の無線通信に周波数Ｆ１を使用可能な位置ｐ２，ｐ３，…を示す情報である。位置情報１５２は、通信装置１００と移動通信装置との間の無線通信に周波数Ｆ２を使用可能な位置ｐ２，…を示す情報である。位置情報１５３は、通信装置１００と移動通信装置との間の無線通信に周波数Ｆ３を使用可能な位置ｐ３，…，ｐｍを示す情報である。取得部１３０は、位置情報１５１〜１５３を報知部１４０へ出力する。
【００２７】
報知部１４０は、取得部１３０から出力された位置情報１５１〜１５３を、それぞれ対象周波数の無線信号によって送信する。具体的には、報知部１４０は、位置情報１５１を、周波数Ｆ１の無線信号１６１によって送信する。また、報知部１４０は、位置情報１５２を、周波数Ｆ２の無線信号１６２によって送信する。また、報知部１４０は、位置情報１５３を、周波数Ｆ３の無線信号１６３によって送信する。
【００２８】
このように、通信装置１００は、使用可能な周波数のそれぞれを対象周波数として、対象周波数を使用して無線通信が可能な位置を示す位置情報を、対象周波数と同じ周波数の無線信号により報知する。これにより、移動通信装置は、通信装置１００との間の無線通信に使用する候補の周波数の無線信号を受信することで、候補の周波数を使用できる各位置を示す位置情報を取得することができる。このため、たとえば、移動通信装置が使用可能な周波数に関する位置情報を効率よく取得することができる。
【００２９】
（実施の形態１にかかる移動通信装置の構成）
図２−１は、実施の形態１にかかる移動通信装置の構成の一例を示す図である。図２−１に示す移動通信装置２００は、図１−１，図１−２に示した通信装置１００のカバーエリアにおいて、通信装置１００との間で無線通信を行う移動通信装置である。また、移動通信装置２００は、図１−１，図１−２に示したデータベース１２０にアクセス不能な移動通信装置である。図２−１に示すように、移動通信装置２００は、受信部２１０と、取得部２２０と、特定部２３０と、検索部２４０と、通信部２５０と、を備えている。
【００３０】
受信部２１０は、通信装置１００からの無線信号により通信装置１００のカバーエリアへ報知される信号を受信する。たとえば、通信装置１００と移動通信装置２００との間で使用する候補の周波数を周波数Ｆ１〜Ｆ５とすると、受信部２１０は、周波数Ｆ１〜Ｆ５の無線信号をそれぞれ受信する。たとえば図１−１に示した例では、受信部２１０は、対応情報１４１を含む無線信号１４２を受信する。受信部２１０は、受信した無線信号１４２を取得部２２０へ出力する。
【００３１】
取得部２２０は、受信部２１０から出力された無線信号１４２から、カバーエリアに含まれる各位置と、カバーエリアに含まれる各位置において通信装置１００との間の無線通信に使用可能な周波数と、を対応付ける対応情報１４１を取得する。取得部２２０は、取得した対応情報１４１を検索部２４０へ出力する。
【００３２】
特定部２３０は、移動通信装置２００（自装置）の位置を特定する。たとえば、特定部２３０は、ＧＰＳ（Ｇｌｏｂａｌ  Ｐｏｓｉｔｉｏｎｉｎｇ  Ｓｙｓｔｅｍ：全地球測位システム）衛星からのＧＰＳ信号を受信することによって移動通信装置２００の位置を特定する。または、特定部２３０は、周囲の基地局からの無線信号を受信することによって移動通信装置２００の位置を特定してもよい。図２−１に示す例では、移動通信装置２００の位置として位置ｐ２が特定されたとする。特定部２３０は、特定した位置ｐ２を示す位置情報２３１を検索部２４０へ出力する。
【００３３】
検索部２４０は、特定部２３０から出力された位置情報２３１が示す位置ｐ２に対応する周波数を、取得部２２０から出力された対応情報１４１から検索する。対応情報１４１において、位置ｐ２には周波数Ｆ１，Ｆ２が対応付けられている（たとえば図１−１参照）。検索部２４０は、検索により得られた周波数Ｆ１，Ｆ２を示す周波数情報２４１を通信部２５０へ出力する。
【００３４】
通信部２５０は、検索部２４０から出力された周波数情報２４１が示す周波数Ｆ１，Ｆ２の少なくともいずれかを使用して通信装置１００との間で無線通信を行う。これにより、移動通信装置２００は、データベース１２０へアクセスする機能を有していなくても、移動通信装置２００の位置において使用可能な周波数を特定し、特定した周波数を使用して通信装置１００との間で無線通信を行うことができる。
【００３５】
図２−２は、実施の形態１にかかる移動通信装置の構成の他の例を示す図である。図２−２において、図２−１に示した部分と同様の部分については同一の符号を付して説明を省略する。図２−２に示すように、受信部２１０が受信する無線信号には無線信号１６１〜１６３（図１−２参照）が含まれているとする。受信部２１０は、受信した無線信号１６１〜１６３を取得部２２０へ出力する。
【００３６】
取得部２２０は、受信部２１０から出力された無線信号１６１〜１６３から、それぞれ位置情報１５１〜１５３を取得する。取得部２２０は、取得した位置情報１５１〜１５３を検索部２４０へ出力する。検索部２４０は、特定部２３０から出力された位置情報２３１が示す位置ｐ２に対応する周波数を、取得部２２０から出力された位置情報１５１〜１５３から検索する。図２−２に示す例では、位置ｐ２は位置情報１５１，１５２に含まれているため、周波数Ｆ１，Ｆ２が位置ｐ２に対応する周波数として得られる。
【００３７】
このように、移動通信装置２００は、候補の周波数の無線信号を受信し、受信した候補の周波数の信号から位置情報を取得する。これにより、たとえば、移動通信装置２００が使用可能な周波数に関する位置情報を効率よく取得することができる。
【００３８】
図２−３は、実施の形態１にかかる移動通信装置の構成のさらに他の例を示す図である。図２−３において、図２−２に示した部分と同様の部分については同一の符号を付して説明を省略する。図２−２に示すように、移動通信装置２００は、図２−２に示した構成に加えて測定部２６０および選択部２７０を備えていてもよい。
【００３９】
測定部２６０は、受信部２１０から出力される無線信号１６１〜１６３に基づいて、各周波数における移動通信装置２００と通信装置１００との間の通信品質を測定する。通信品質は、たとえば受信強度である。図２−３に示す例では、測定部２６０は、周波数Ｆ１〜Ｆ３における通信品質ｑ１〜ｑ３を測定する。
【００４０】
ただし、測定部２６０は、少なくとも検索部２４０によって検出された周波数における通信品質を測定してもよい。すなわち、測定部２６０は周波数Ｆ１，Ｆ２における通信品質を測定し、周波数Ｆ３における通信品質は測定しなくてもよい。測定部２６０は、測定した周波数Ｆ１〜Ｆ３における通信品質ｑ１〜ｑ３を示す品質情報２６１を選択部２７０へ出力する。
【００４１】
選択部２７０は、測定部２６０から出力された品質情報２６１に基づいて、検索部２４０から出力された周波数情報２４１が示す周波数Ｆ１，Ｆ２の中から、通信装置１００との間の無線通信に使用する周波数を選択する。たとえば、選択部２７０は、周波数Ｆ１，Ｆ２の中から、品質情報２６１が示す通信品質が最も高い周波数を選択する。図２−３に示す例では、周波数Ｆ１の通信品質ｑ１が、周波数Ｆ２の通信品質ｑ２より高く、選択部２７０は周波数Ｆ１を選択したとする。選択部２７０は、選択した周波数Ｆ１を示す周波数情報２７１を通信部２５０へ出力する。
【００４２】
通信部２５０は、選択部２７０から出力された周波数情報２７１が示す周波数Ｆ１を使用して通信装置１００との間で無線通信を行う。これにより、移動通信装置２００は、データベース１２０へアクセスする機能を有していなくても、移動通信装置２００の位置において使用可能な通信品質のよい周波数を特定し、特定した周波数を使用して通信装置１００との間で無線通信を行うことができる。
【００４３】
（実施の形態１にかかる通信システム）
図３は、実施の形態１にかかる通信システムの一例を示す図である。図３に示すように、実施の形態１にかかる通信システム３００は、電波塔３１０と、基地局３２０と、移動通信装置３３０と、データベースサーバ３４０と、を含んでいる。図１−１，図１−２に示した通信装置１００は、たとえば基地局３２０に適用することができる。図１−１，図１−２に示したデータベース１２０は、たとえばデータベースサーバ３４０に適用することができる。図２−１〜図２−３に示した移動通信装置２００は、たとえば移動通信装置３３０に適用することができる。
【００４４】
電波塔３１０は、たとえばテレビやラジオの放送電波などを送信する一次側のシステムである。電波塔３１０が使用する周波数をｆ１とする。禁止エリア３１１は、電波塔３１０の周囲のエリアであり、電波塔３１０の通信システムとは異なる通信システムが周波数ｆ１を使用できないエリアである。
【００４５】
基地局３２０および移動通信装置３３０は、一次側のシステムである電波塔３１０が使用していない周波数（ホワイトスペース）を使用した二次側のセルラシステムである。カバーエリア３２１は、基地局３２０の周囲のエリアであり、基地局３２０と移動通信装置３３０との間で無線通信が可能なエリアである。
【００４６】
データベースサーバ３４０は、たとえば基地局３２０と有線で接続されており、基地局３２０からアクセス可能なサーバである。一方、データベースサーバ３４０は、移動通信装置３３０からは直接アクセスできないサーバである。
【００４７】
図３に示す例では、移動通信装置３３０は、カバーエリア３２１と禁止エリア３１１の重複部分に位置している。したがって、移動通信装置３３０が基地局３２０へ送信する無線信号には周波数ｆ１以外の周波数を用いることになる。また、移動通信装置３３０と基地局３２０とが同一周波数でＴＤＤによって双方向に無線信号を送信する場合は、基地局３２０が移動通信装置３３０へ送信する無線信号にも周波数ｆ１以外の周波数を用いることになる。
【００４８】
（基地局のハードウェア構成）
図４−１は、基地局のハードウェア構成の一例を示す図である。図３に示した基地局３２０は、たとえば図４−１に示す情報処理装置４１０によって実現することができる。情報処理装置４１０は、ＣＰＵ４１１と、メインメモリ４１２と、補助メモリ４１３と、ユーザインタフェース４１４と、無線通信インタフェース４１５と、有線通信インタフェース４１６と、を備えている。ＣＰＵ４１１、メインメモリ４１２、補助メモリ４１３、ユーザインタフェース４１４、無線通信インタフェース４１５および有線通信インタフェース４１６は、バス４１９によって接続されている。
【００４９】
ＣＰＵ４１１（Ｃｅｎｔｒａｌ  Ｐｒｏｃｅｓｓｉｎｇ  Ｕｎｉｔ）は、情報処理装置４１０の全体の制御を司る。メインメモリ４１２は、たとえばＲＡＭ（Ｒａｎｄｏｍ  Ａｃｃｅｓｓ  Ｍｅｍｏｒｙ）である。メインメモリ４１２は、ＣＰＵ４１１のワークエリアとして使用される。補助メモリ４１３は、たとえば、ハードディスクやフラッシュメモリなどの不揮発メモリである。補助メモリ４１３には、情報処理装置４１０を動作させる各種のプログラムが記憶されている。補助メモリ４１３に記憶されたプログラムは、メインメモリ４１２にロードされてＣＰＵ４１１によって実行される。
【００５０】
ユーザインタフェース４１４は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース４１４は、ＣＰＵ４１１によって制御される。
【００５１】
無線通信インタフェース４１５は、無線によって情報処理装置４１０の外部（たとえば移動通信装置３３０）との間で通信を行う通信インタフェースである。有線通信インタフェース４１６は、有線によって情報処理装置４１０の外部（たとえばデータベースサーバ３４０）との間で通信を行う通信インタフェースである。無線通信インタフェース４１５および有線通信インタフェース４１６は、ＣＰＵ４１１によって制御される。
【００５２】
図１−１，図１−２に示した特定部１１０は、たとえばＣＰＵ４１１および補助メモリ４１３によって実現することができる。取得部１３０は、たとえばＣＰＵ４１１および有線通信インタフェース４１６によって実現することができる。報知部１４０は、たとえば無線通信インタフェース４１５によって実現することができる。通信装置１００の通信部は、たとえば無線通信インタフェース４１５によって実現することができる。
【００５３】
（移動通信装置のハードウェア構成）
図４−２は、移動通信装置のハードウェア構成の一例を示す図である。図３に示した移動通信装置３３０は、たとえば図４−２に示す情報処理装置４２０によって実現することができる。情報処理装置４２０は、ＣＰＵ４２１と、メインメモリ４２２と、補助メモリ４２３と、ユーザインタフェース４２４と、無線通信インタフェース４２５と、ＧＰＳモジュール４２６と、を備えている。ＣＰＵ４２１、メインメモリ４２２、補助メモリ４２３、ユーザインタフェース４２４、無線通信インタフェース４２５およびＧＰＳモジュール４２６は、バス４２９によって接続されている。
【００５４】
ＣＰＵ４２１、メインメモリ４２２、補助メモリ４２３およびユーザインタフェース４２４は、それぞれ図４−１に示したＣＰＵ４１１、メインメモリ４１２、補助メモリ４１３およびユーザインタフェース４１４と同様である。
【００５５】
無線通信インタフェース４２５は、無線によって情報処理装置４２０の外部（たとえば基地局３２０）との間で通信を行う通信インタフェースである。無線通信インタフェース４２５は、ＣＰＵ４２１によって制御される。ＧＰＳモジュール４２６は、ＧＰＳ衛星からのＧＰＳ信号を受信することによって情報処理装置４２０の現在位置を示す情報を取得するモジュールである。ＧＰＳモジュール４２６は、ＣＰＵ４２１によって制御される。
【００５６】
図２−１〜図２−３に示した受信部２１０は、たとえば無線通信インタフェース４２５によって実現することができる。取得部２２０は、たとえばＣＰＵ４２１によって実現することができる。特定部２３０は、たとえばＧＰＳモジュール４２６によって実現することができる。検索部２４０は、たとえばＣＰＵ４２１によって実現することができる。通信部２５０は、たとえば無線通信インタフェース４２５によって実現することができる。
【００５７】
（データベースサーバのハードウェア構成）
図４−３は、データベースサーバのハードウェア構成の一例を示す図である。図３に示したデータベースサーバ３４０は、たとえば図４−３に示す情報処理装置４３０によって実現することができる。情報処理装置４３０は、ＣＰＵ４３１と、メインメモリ４３２と、補助メモリ４３３と、ユーザインタフェース４３４と、通信インタフェース４３５と、を備えている。ＣＰＵ４３１、メインメモリ４３２、補助メモリ４３３、ユーザインタフェース４３４および通信インタフェース４３５は、バス４３９によって接続されている。
【００５８】
ＣＰＵ４３１、メインメモリ４３２、補助メモリ４３３およびユーザインタフェース４３４は、それぞれ図４−１に示したＣＰＵ４１１、メインメモリ４１２、補助メモリ４１３およびユーザインタフェース４１４と同様である。
【００５９】
通信インタフェース４３５は、無線や有線によって情報処理装置４３０の外部（たとえば基地局３２０）との間で通信を行う通信インタフェースである。通信インタフェース４３５は、ＣＰＵ４３１によって制御される。
【００６０】
（実施の形態１にかかる基地局による動作）
図５は、実施の形態１にかかる基地局による動作の一例を示すフローチャートである。まず、基地局３２０は、たとえば自局の送信電力や送信アンテナパターンなどに基づいて、自局のカバーエリア３２１の範囲を算出する（ステップＳ５０１）。カバーエリア３２１の範囲の算出については後述する。
【００６１】
つぎに、基地局３２０は、ステップＳ５０１によって算出したカバーエリア３２１の範囲に基づいて、カバーエリア３２１に含まれる各位置における使用可能な周波数をデータベースサーバ３４０から取得する（ステップＳ５０２）。つぎに、基地局３２０は、ステップＳ５０２によって取得した使用可能な周波数に基づいて、移動通信装置３３０との間の無線通信が可能な位置を示す位置情報を周波数ごとに生成する（ステップＳ５０３）。
【００６２】
つぎに、基地局３２０は、ステップＳ５０３によって算出した周波数ごとの位置情報の無線信号による送信を開始し（ステップＳ５０４）、一連の動作を終了する。以上の各ステップにより、基地局３２０は、カバーエリア３２１の各位置における使用可能な周波数をデータベースサーバ３４０から取得してカバーエリア３２１で報知することができる。
【００６３】
（実施の形態１にかかる移動通信装置による動作）
図６は、実施の形態１にかかる移動通信装置による動作の一例を示すフローチャートである。まず、移動通信装置３３０は、使用候補の周波数のうちの未受信の周波数の無線信号を受信する（ステップＳ６０１）。つぎに、移動通信装置３３０は、ステップＳ６０１によって受信した無線信号の信号品質を測定する（ステップＳ６０２）。
【００６４】
つぎに、移動通信装置３３０は、ステップＳ６０２によって測定した信号品質に基づいて、ステップＳ６０１によって受信した無線信号が報知信号として使用されているか否かを判断する（ステップＳ６０３）。たとえば、移動通信装置３３０は、信号品質が閾値未満の場合は無線信号が報知信号として使用されていないと判断し、信号品質が閾値以上の場合は無線信号が報知信号として使用されていると判断する。受信した無線信号が報知信号として使用されていると判断した場合（ステップＳ６０３：Ｙｅｓ）は、移動通信装置３３０は、受信した無線信号を復号する（ステップＳ６０４）。
【００６５】
つぎに、移動通信装置３３０は、ステップＳ６０４による復号結果から位置情報を取得し（ステップＳ６０５）、ステップＳ６０６へ移行する。ステップＳ６０５によって取得される位置情報は、ステップＳ６０１によって受信された無線信号の周波数と同じ周波数を使用して基地局３２０との間で無線通信が可能な位置を示す情報である。
【００６６】
ステップＳ６０３において、受信した無線信号が報知信号として使用されていないと判断した場合（ステップＳ６０３：Ｎｏ）は、移動通信装置３３０は、全ての使用候補の周波数の無線信号をステップＳ６０１によって受信したか否かを判断する（ステップＳ６０６）。全ての使用候補の周波数の無線信号を受信していない場合（ステップＳ６０６：Ｎｏ）は、移動通信装置３３０は、ステップＳ６０１へ戻る。
【００６７】
ステップＳ６０６において、全ての使用候補の周波数の無線信号を受信した場合（ステップＳ６０６：Ｙｅｓ）は、移動通信装置３３０は、ＧＰＳにより自位置を特定する（ステップＳ６０７）。つぎに、移動通信装置３３０は、ステップＳ６０７によって特定した自位置と、ステップＳ６０５によって周波数ごとに取得した位置情報と、に基づいて、基地局３２０との間の無線通信に使用する周波数を選択する（ステップＳ６０８）。
【００６８】
つぎに、移動通信装置３３０は、ステップＳ６０８によって選択した周波数を使用して基地局３２０との無線通信を開始し（ステップＳ６０９）、一連の動作を終了する。以上の各ステップにより、移動通信装置３３０は、基地局３２０から報知される周波数ごとの位置情報に基づいて、移動通信装置３３０の位置において使用可能な周波数を特定し、特定した周波数を使用して基地局３２０との間で無線通信を行うことができる。
【００６９】
（カバーエリアの算出）
基地局３２０は、たとえば、自由空間における伝搬式を用いてエリア半径を求めることによって自局のカバーエリア３２１の範囲を算出することができる。たとえば、基地局３２０の送信アンテナのＥＲＰ（Ｅｆｆｅｃｔｉｖｅ  Ｒａｄｉａｔｉｏｎ  Ｐｏｗｅｒ：実効放射電力）をＰ［Ｗ］とすると、基地局３２０の送信アンテナからｄ［ｋｍ］離れた位置における電界強度Ｅ［ｄＢｕＶ／ｍ］は、下記（１）式によって示すことができる。
【００７０】
Ｅ＝１０６．９＋１０・ｌｏｇ（Ｐ／１０００）−２０・ｌｏｇｄ  …（１）
【００７１】
したがって、基地局３２０のカバーエリアの電界強度をＥｃ（Ｅ＝Ｅｃ）とすると、基地局３２０のカバーエリア３２１の半径Ｒｃ（ｄ＝Ｒｃ）は、下記（２）式によって示すことができる。
【００７２】
【数１】
0005871015.tif 000002
【００７３】
基地局３２０は、たとえば、あらかじめ基地局３２０のメモリに記憶された基地局３２０の位置を中心とする、上記（２）式によって算出した半径Ｒｃの円をカバーエリア３２１の範囲として算出することができる。
【００７４】
（カバーエリアに含まれる各位置）
図７は、カバーエリアに含まれる各位置の一例を示す図である。図７において、図３に示した部分と同様の部分については同一の符号を付して説明を省略する。図７に示すように、基地局３２０は、カバーエリア３２１をグリッド状に分割し、分割した各グリッドの点（ｉ，ｊ）をカバーエリア３２１の各位置として扱う。基地局３２０は、上記（２）式によって算出したカバーエリア３２１の半径Ｒｃに基づいて、カバーエリア３２１に含まれる各点（ｉ，ｊ）を算出する。
【００７５】
そして、基地局３２０は、算出した各点（ｉ，ｊ）をデータベースサーバ３４０へ通知することで、各点（ｉ，ｊ）のそれぞれにおいて使用可能な周波数の集合ｆ（ｉ，ｊ）＝｛ｆ１，ｆ２，…，ｆｎ｝をデータベースサーバ３４０から取得する。周波数ｆｋがホワイトスペースとなるエリアの点集合Ｐ（ｆｋ）は、ｆ（ｉ，ｊ）のリスト中に周波数ｆｋを含む点（ｉ，ｊ）の集合とする。
【００７６】
（基地局によって送信される位置情報）
図８は、基地局によって送信される位置情報の一例を示す図である。図８において、図７に示した部分と同様の部分については同一の符号を付して説明を省略する。図８に示す位置情報７０１は、基地局３２０が送信する無線信号に含まれる周波数ごとの位置情報のうちの周波数ｆ１における位置情報である。位置情報７０１には、周波数ｆ１を使用可能な各位置が緯度と経度との組み合わせの情報が格納されている。
【００７７】
同様に、基地局３２０は、周波数ｆ１以外の周波数についても、使用可能な各位置が緯度と経度との組み合わせの情報を格納した位置情報を送信する。このように、基地局３２０は、周波数ｆｋについての位置情報として、周波数ｆｋと、周波数ｆｋを使用可能な位置を示す点集合Ｐ（ｆｋ）と、を含むリストを送信する。また、基地局３２０は、周波数ｆｋについての位置情報を周波数ｆｋの無線信号によって送信する。
【００７８】
移動通信装置３３０は、使用する周波数の候補に対してスキャンし、どの周波数が用いられているかを信号品質に基づいて判断し、さらに各周波数の信号を復号することで、周波数ごとの位置情報を得ることができる。具体的には、移動通信装置３３０は、ＧＰＳによって特定した自位置（ｘ，ｙ）と、点集合Ｐ（ｆｋ）と、に基づいて、（ｘ，ｙ）∈Ｐ（ｆｋ）であれば周波数ｆｋを使用可能と判断することができる。
【００７９】
（カバーエリアに含まれる各位置の具体例）
図９は、カバーエリアに含まれる各位置の具体例を示す図である。図９において、図３に示した部分と同様の部分については同一の符号を付して説明を省略する。図９に示すように、基地局３２０によって算出された半径Ｒｃのカバーエリア３２１には、９個のグリッドが含まれていたとする。
【００８０】
（各位置における使用可能な周波数の具体例）
図１０は、各位置における使用可能な周波数の具体例を示す図である。図９に示したカバーエリア３２１に含まれる９個のグリッドを、ｘｙ座標軸上の各点（０，０），（０，１），（０，２），（１，０），…，（２，２）によって表すとする。また、ここで用いる周波数の候補は周波数ｆ１，ｆ２，ｆ３の３つであるとする。
【００８１】
図１０においては、各点において使用可能な周波数を示している。たとえば、点（０，０）において使用可能な周波数は周波数ｆ１，ｆ３である。また、点（１，２）において使用可能な周波数は周波数ｆ１である。
【００８２】
（各周波数がホワイトスペースとなる位置の具体例）
図１１は、各周波数がホワイトスペースとなる位置の具体例を示す図である。図１１に示すように、基地局３２０は、図１０に示した各位置における使用可能な周波数に基づいて、周波数ｆ１〜ｆ３のそれぞれについて、対象周波数がホワイトスペースとなる各位置を示す点集合Ｐ（ｆｋ）を算出する。基地局３２０は、算出した点集合Ｐ（ｆｋ）を周波数ごとの位置情報として無線信号により報知する。
【００８３】
（基地局の送信フレームの具体例）
図１２は、基地局の送信フレームの具体例を示す図である。図１２に示す送信フレーム１２００は、基地局３２０における送信フレームの一単位（２０タイムスロット）である。たとえば、基地局３２０は、送信フレーム１２００の先頭のタイムスロットを報知信号スロット１２１０とし、報知信号スロット１２１０に位置情報を格納する。これにより、位置情報が定期的に報知される。
【００８４】
（基地局が送信する周波数ごとの無線信号の具体例）
図１３は、基地局が送信する周波数ごとの無線信号の具体例を示す図である。図１３に示す無線信号１３０１〜１３０３は、それぞれ周波数ｆ１〜ｆ３の無線信号である。また、無線信号１３０１〜１３０３は、それぞれ周波数ｆ１〜ｆ３に対応する位置情報を含んでいる。たとえば、周波数ｆ１の無線信号１３０１には、周波数ｆ１がホワイトスペースとなる各位置として、位置（０，１），（０，２），（１，１），（１，２），（２，１），（２，２）が含まれている。
【００８５】
（移動通信装置による無線信号の復号処理）
図１４は、移動通信装置による無線信号の復号処理の一例を示すブロック図である。図１４において、図１３に示した部分と同様の部分については同一の符号を付して説明を省略する。移動通信装置３３０は、たとえば、フィルタ１４１１〜１４１３と、復号部１４２１〜１４２３と、信号品質測定部１４３１〜１４３３と、周波数決定部１４４０と、を備えている。移動通信装置３３０は、カバーエリア３２１において、周波数ｆ１，ｆ２，ｆ３の無線信号１３０１〜１３０３を含む無線信号を受信する。
【００８６】
フィルタ１４１１は、受信された信号のうちの周波数ｆ１の信号のみを抽出することで無線信号１３０１の受信信号１４０１を取得する。フィルタ１４１１は、取得した受信信号１４０１を復号部１４２１および信号品質測定部１４３１へ出力する。フィルタ１４１２は、受信された信号のうちの周波数ｆ２の信号のみを抽出することで無線信号１３０２の受信信号１４０２を取得する。フィルタ１４１２は、取得した受信信号１４０２を復号部１４２２および信号品質測定部１４３２へ出力する。フィルタ１４１３は、受信された信号のうちの周波数ｆ３の信号のみを抽出することで無線信号１３０３の受信信号１４０３を取得する。フィルタ１４１３は、取得した受信信号１４０３を復号部１４２３および信号品質測定部１４３３へ出力する。
【００８７】
復号部１４２１〜１４２３は、それぞれフィルタ１４１１〜１４１３から出力された受信信号１４０１〜１４０３を復号し、復号結果を周波数決定部１４４０へ出力する。信号品質測定部１４３１〜１４３３は、それぞれフィルタ１４１１〜１４１３から出力された受信信号１４０１〜１４０３の信号品質を測定し、測定した信号品質を周波数決定部１４４０へ出力する。図１４に示す例では、信号品質測定部１４３１〜１４３３は、それぞれ受信信号１４０１〜１４０３の信号品質として受信強度１０［ｄＢ］，−２［ｄＢ］，１４［ｄＢ］を測定したとする。
【００８８】
周波数決定部１４４０は、復号部１４２１〜１４２３から出力された各復号結果から、移動通信装置３３０の位置に対応する周波数を検索する。たとえば移動通信装置３３０の位置が位置（２，１）である場合は、復号部１４２１，１４２３からの復号結果に位置（２，１）が含まれている（たとえば図１３参照）ことから、移動通信装置３３０は周波数ｆ１，ｆ３を選択する。
【００８９】
移動通信装置３３０は、選択した周波数ｆ１，ｆ３のうちの、信号品質測定部１４３１〜１４３３から出力された信号品質がより高い周波数をさらに選択する。図１４に示した例では、信号品質測定部１４３３から出力された信号品質（１４［ｄＢ］）が、信号品質測定部１４３１から出力された信号品質（１０［ｄＢ］）より高いため、移動通信装置３３０は、基地局３２０との無線通信に使用する周波数として周波数ｆ３を選択する。
【００９０】
これにより、基地局３２０との無線通信に使用する周波数を決定することができる。移動通信装置３３０は、周波数決定部１４４０によって決定した周波数ｆ３を基地局３２０へ通知し、周波数ｆ３を使用した基地局３２０との無線通信を開始する。
【００９１】
このように、実施の形態１にかかる通信装置１００および移動通信装置２００によれば、カバーエリア内の各位置における使用可能な周波数を通信装置１００がデータベース１２０から取得してカバーエリア内で報知することができる。これにより、カバーエリア内の移動通信装置２００が自位置で使用可能な周波数を特定できるようになる。このため、使用可能な周波数を増やし、周波数の利用効率を向上させることができる。
【００９２】
（実施の形態２）
実施の形態２にかかる通信装置１００、移動通信装置２００および通信システム３００について、実施の形態１にかかる通信装置１００、移動通信装置２００および通信システム３００と異なる部分について説明する。
【００９３】
（実施の形態２にかかる通信装置の構成）
図１５は、実施の形態２にかかる通信装置の構成の一例を示す図である。図１５において、図１−２に示した部分と同様の部分については同一の符号を付して説明を省略する。図１５に示すように、実施の形態２にかかる通信装置１００は、図１−２に示した構成に加えて選択部１５１０を備えている。選択部１５１０は、たとえば図４−１に示したＣＰＵ４１１によって実現することができる。
【００９４】
選択部１５１０は、取得部１３０から出力された位置情報１５１〜１５３に基づいて、使用可能な周波数Ｆ１〜Ｆ３の中から、周波数Ｆ１〜Ｆ３の他の周波数よりも無線通信が可能な位置が多い周波数を選択する。たとえば、選択部１５１０は、使用可能な周波数Ｆ１〜Ｆ３の中から、無線通信が可能な位置が最も多い周波数を選択する。
【００９５】
または、選択部１５１０は、使用可能な周波数Ｆ１〜Ｆ３の中から、無線通信が可能な位置が１番目と２番目に多い２個の周波数を選択してもよい。すなわち、選択部１５１０は、使用可能な周波数の中から、無線通信が可能な位置が１番目からＮ番目（Ｎは使用可能な周波数の数より少ない自然数）に多いＮ個の周波数を選択してもよい。これにより、通信装置１００のカバーエリアにおいて無線通信が可能なエリアが広い周波数を選択することができる。
【００９６】
たとえば、周波数Ｆ１に対応する位置ｐ２，ｐ３，…の数が、周波数Ｆ２に対応する位置ｐ２，…の数や、周波数Ｆ３に対応する位置ｐ３，…，ｐｍの数よりも多いとする。この場合は、選択部１５１０は、たとえば周波数Ｆ１を選択する。選択部１５１０は、位置情報１５１〜１５３のうちの、選択した周波数Ｆ１に対応する位置情報１５１を報知部１４０へ出力する。報知部１４０は、選択部１５１０から出力された位置情報１５１を、無線信号１６１により報知する。したがって、図１５に示す例では、位置情報１５２，１５３は報知されない。
【００９７】
このように、実施の形態２にかかる通信装置１００によれば、使用可能な周波数の中から、無線通信が可能な位置が多い一部の周波数を選択し、選択した周波数の位置情報をカバーエリアへ報知する。これにより、カバーエリアに報知する情報の量を低減しつつ、カバーエリア内におけるより多くの移動通信装置が使用可能な周波数の情報を報知することができる。
【００９８】
（各周波数のＷＳエリア）
図１６−１は、各周波数のＷＳエリアの一例を示す図である。図１６−１において、ＷＳエリア１６１１〜１６１ｎは、それぞれ周波数ｆ１〜ｆｎがホワイトスペースとなるエリアを示している。たとえば、基地局３２０は、ＷＳエリア１６１１〜１６１ｎのうちの面積が最も大きいＷＳエリア１６１１を示す位置情報を無線送信し、ＷＳエリア１６１２〜１６１ｎについては無線送信しない。
【００９９】
（実施の形態２にかかる通信システムによる動作）
図１６−２は、実施の形態２にかかる通信システムによる動作の一例を示す図である。図１６−２において、図３に示した部分と同様の部分については同一の符号を付して説明を省略する。移動通信装置１６２１，１６２２は、図３に示した移動通信装置３３０と同様の移動通信装置である。ただし、移動通信装置１６２１は、基地局３２０から報知される周波数ｆ１の位置情報が示すＷＳエリア１６１１に位置している。したがって、移動通信装置１６２１は、基地局３２０からの位置情報に基づいて、周波数ｆ１による移動通信装置３３０との無線通信を行うことができる。
【０１００】
一方、移動通信装置１６２２は、ＷＳエリア１６１１には位置しておらず、ＷＳエリア１６１２に位置している。ＷＳエリア１６１２においては、周波数ｆ２を使用して無線通信が可能であるが、周波数ｆ２の位置情報は基地局３２０によって報知されていない。したがって、移動通信装置１６２１は、自端末の位置において使用可能な周波数を取得することができないため、移動通信装置３３０との間の無線通信を行わない。
【０１０１】
（実施の形態２にかかる基地局による動作）
図１７は、実施の形態２にかかる基地局による動作の一例を示すフローチャートである。実施の形態２にかかる基地局３２０は、たとえば以下の各ステップを実行する。図１７に示すステップＳ１７０１〜Ｓ１７０３は、図５に示したステップＳ５０１〜Ｓ５０３と同様である。
【０１０２】
ステップＳ１７０３のつぎに、基地局３２０は、ステップＳ１７０３によって算出した周波数ごとの位置情報に基づいて、無線通信が可能なＷＳエリアの面積を周波数ごとに算出する（ステップＳ１７０４）。たとえば、基地局３２０は、使用可能な周波数ｆｋのそれぞれについて、点集合Ｐ（ｆｋ）の個数｜Ｐ（ｆｋ）｜を算出し、算出結果を周波数ｆｋのエリア面積Ａ（ｆｋ）とする。
【０１０３】
つぎに、基地局３２０は、使用可能な周波数の中から、ステップＳ１７０４によって算出したＷＳエリアの面積が最も大きい周波数を選択する（ステップＳ１７０５）。つぎに、基地局３２０は、ステップＳ１７０５によって選択した周波数を使用可能な各位置を示す位置情報の無線信号による送信を開始し（ステップＳ１７０６）、一連の動作を終了する。以上の各ステップにより、基地局３２０は、カバーエリア３２１に報知する位置情報の数を少なくして情報量を低減しつつ、カバーエリア３２１においてより多くの移動通信装置が使用可能な周波数の情報を報知することができる。
【０１０４】
（実施の形態２にかかる通信システムによる動作の他の例）
図１８は、実施の形態２にかかる通信システムによる動作の他の例を示す図である。図１８において、図１６−１または図１６−２に示した部分と同様の部分については同一の符号を付して説明を省略する。図１８に示すように、基地局３２０は、面積が最大となる周波数ｆ１のＷＳエリア１６１１に加えて、カバーエリア３２１のうちのＷＳエリア１６１１に含まれていないエリアをカバーするＷＳエリア１６１２（周波数ｆ２に対応）の位置を示す位置情報を報知してもよい。
【０１０５】
これにより、ＷＳエリア１６１２に位置している移動通信装置１６２２は、基地局３２０からの位置情報に基づいて、周波数ｆ２による移動通信装置３３０との無線通信を行うことができる。このため、カバーエリア３２１におけるいずれの位置においても、周波数ｆ１または周波数ｆ２を用いて無線通信を行うことができる。
【０１０６】
（実施の形態２にかかる基地局による動作の他の例）
図１９は、実施の形態２にかかる基地局による動作の他の例を示すフローチャートである。実施の形態２にかかる基地局３２０は、たとえば以下の各ステップを実行してもよい。図１９に示すステップＳ１９０１〜Ｓ１９０４は、図１７に示したステップＳ１７０１〜Ｓ１７０４と同様である。ステップＳ１９０４のつぎに、基地局３２０は、ＷＳエリアの面積が最も大きい周波数を周波数集合の初期値に設定する（ステップＳ１９０５）。
【０１０７】
つぎに、基地局３２０は、現在の周波数集合における各周波数において無線通信が可能な各位置の和集合を算出する（ステップＳ１９０６）。たとえば、基地局３２０は、周波数集合ｆがｆ＝｛ｆ１，ｆ２，ｆ３｝であるとすると、エリアＰ（ｆ１），Ｐ（ｆ２），Ｐ（ｆ３）の和集合Ｐ（ｆ１）∪Ｐ（ｆ２）∪Ｐ（ｆ３）を算出する。つぎに、基地局３２０は、カバーエリア３２１の全ての位置が、ステップＳ１９０５によって算出された和集合に含まれているか否かを判断する（ステップＳ１９０７）。
【０１０８】
ステップＳ１９０７において、カバーエリア３２１の全ての位置が和集合に含まれていない場合（ステップＳ１９０７：Ｎｏ）は、基地局３２０は、周波数集合に加えていない他の周波数を周波数集合に加え（ステップＳ１９０８）、ステップＳ１９０６へ戻る。カバーエリア３２１の全ての位置が和集合に含まれている場合（ステップＳ１９０７：Ｙｅｓ）は、基地局３２０は、周波数集合に含まれている各周波数の位置情報の無線信号による送信を開始し（ステップＳ１９０９）、一連の動作を終了する。
【０１０９】
以上の各ステップにより、基地局３２０は、カバーエリア３２１に報知する位置情報の数を少なくして情報量を低減しつつ、カバーエリア３２１の各位置について、使用可能な周波数の情報を報知することができる。
【０１１０】
（基地局が送信する周波数ごとの無線信号の具体例）
図２０は、基地局が送信する周波数ごとの無線信号の具体例を示す図である。図２０において、図１３に示した部分と同様の部分については同一の符号を付して説明を省略する。たとえば図１１に示した例では、周波数ｆ１，ｆ２，ｆ３の各ＷＳスペースの面積は、それぞれ｜Ｐ（ｆ１）｜＝６，｜Ｐ（ｆ２）｜＝５，｜Ｐ（ｆ３）｜＝５となる。
【０１１１】
このため、図２０に示すように、たとえば、基地局３２０は、ＷＳスペースの面積が最も大きい周波数である周波数ｆ１の位置情報を無線信号１３０１により送信する。また、基地局３２０は、周波数ｆ１のみではカバーエリア３２１の全体をカバーできないため、周波数ｆ１がホワイトスペースとなる各位置を補う周波数ｆ２の位置情報を無線信号１３０２により送信する。
【０１１２】
ただし、図２０に示すように、周波数ｆ２がホワイトスペースとなる各位置のうちの、無線信号１３０１に含まれている各位置は、無線信号１３０２から除外してもよい。これにより、位置情報の情報量をさらに低減することができる。図２０に示す例では、無線信号１３０２には、周波数ｆ２がホワイトスペースとなる各位置として、位置（０，０），（１，０），（２，０）が含まれている。
【０１１３】
このように、実施の形態２にかかる通信装置１００および移動通信装置２００によれば、使用可能な周波数の中から、無線通信が可能な位置が多い周波数を選択し、選択した周波数の位置情報をカバーエリアへ報知することができる。これにより、カバーエリアに報知する情報の量を低減しつつ、カバーエリア内におけるより多くの移動通信装置が使用可能な周波数の情報を報知することができる。
【０１１４】
（実施の形態３）
実施の形態３にかかる通信装置１００、移動通信装置２００および通信システム３００について、実施の形態１または実施の形態２にかかる通信装置１００、移動通信装置２００および通信システム３００と異なる部分について説明する。
【０１１５】
（実施の形態３にかかる通信装置の構成）
図２１は、実施の形態３にかかる通信装置の構成の一例を示す図である。図２１において、図１−２に示した部分と同様の部分については同一の符号を付して説明を省略する。図２１に示すように、実施の形態３にかかる通信装置１００は、図１−２に示した構成に加えて算出部２０１０を備えている。算出部２０１０は、取得部１３０から出力された位置情報１５１〜１５３に基づいて、通信装置１００のカバーエリアのうちの、各周波数を使用して無線通信が可能な各位置の範囲を近似的に示す近似範囲情報を使用可能な周波数ごとに算出する。
【０１１６】
図２１に示す例では、算出部２０１０は、通信装置１００のカバーエリアのうちの周波数ｆ１を使用して無線通信が可能な各位置の範囲として、緯度がｘ１［°］以上の範囲を算出したとする。また、算出部２０１０は、周波数ｆ２を使用して無線通信が可能な各位置の範囲として、緯度がｘ２［°］未満の範囲を算出したとする。また、算出部２０１０は、周波数ｆ３を使用して無線通信が可能な各位置の範囲として、緯度がｙ１［°］以上の範囲を算出したとする。
【０１１７】
算出部２０１０は、周波数ｆ１〜ｆ３についてそれぞれ算出した範囲を示す範囲情報２０１１〜２０１３を報知部１４０へ出力する。報知部１４０は、算出部２０１０から出力された範囲情報２０１１〜２０１３を、それぞれ周波数ｆ１〜ｆ３の無線信号１６１〜１６３によって報知する。
【０１１８】
（エリア情報の近似）
図２２は、エリア情報の近似の一例を示す図である。図２２において、図１６−１に示した部分と同様の部分については同一の符号を付して説明を省略する。基地局３２０は、たとえば周波数ｆ１を使用可能なＷＳエリア１６１１のうちの、全ての経度において周波数ｆ１が使用可能となる緯度がｘ１［°］以上のエリア２２０１を、ＷＳエリア１６１１を近似するエリアとして算出する。
【０１１９】
この場合は、基地局３２０は、緯度＝ｘ１［°］以上を示す情報を周波数ｆ１の無線信号により報知する。エリア２２０１に位置する移動通信装置は、自装置の位置の緯度がｘ１［°］以上となるため、基地局３２０から報知される範囲情報に基づいて、基地局３２０との間の無線通信に周波数ｆ１を使用可能と判断することができる。
【０１２０】
このように、基地局３２０は、カバーエリア３２１のうちの、全ての経度ｙにおいて無線通信が可能な緯度ｘの範囲を範囲情報（対応情報）として報知する。または、基地局３２０は、カバーエリア３２１のうちの、全ての緯度ｘにおいて無線通信が可能な経度ｙの範囲を範囲情報（対応情報）として報知してもよい。
【０１２１】
（エリアの近似の具体例）
図２３は、エリアの近似の具体例を示す図である。図２３に示す各点は、カバーエリア３２１のうちの周波数ｆ１を使用して無線通信が可能な各位置を示している。たとえば、基地局３２０は、緯度ｘを、カバーエリア３２１の緯度の最小値（たとえばゼロとする）から増加させていき、現在の緯度におけるカバーエリア３２１の全ての経度において無線通信が可能となる緯度ｘ１を算出する。基地局３２０は、算出した緯度ｘ１をパラメータとして含む情報を範囲情報として報知する。
【０１２２】
報知信号の形式としては、たとえば、周波数ｆ１を使用して、｛周波数、切断位置パラメータ、大小フラグ｝の組を送信することが考えられる。この場合は、報知信号の形式は、たとえば｛ｆ１，ｘ１，より大きい（論理的に０か１に決めておく）｝となる。
【０１２３】
（エリアの近似処理）
図２４は、エリアの近似処理の一例を示すフローチャートである。基地局３２０は、たとえば以下の各ステップを、使用可能な周波数ごとに行う。まず、基地局３２０は、緯度ｘをゼロに設定する（ステップＳ２４０１）。つぎに、基地局３２０は、緯度ｘを単位変化量Δｘだけ増加させる（ステップＳ２４０２）。つぎに、基地局３２０は、カバーエリア３２１において緯度がｘ以上の部分（各位置）を算出する（ステップＳ２４０３）。
【０１２４】
つぎに、基地局３２０は、ステップＳ２４０３によって算出した緯度がｘ以上の部分の全てにおいて周波数ｆ１が使用可能か否かを判断する（ステップＳ２４０４）。ステップＳ２４０４において、緯度がｘ以上の部分の全てにおいて周波数ｆ１が使用可能でない場合（ステップＳ２４０４：Ｎｏ）は、基地局３２０は、ステップＳ２４０２へ戻る。
【０１２５】
ステップＳ２４０４において、緯度がｘ以上の部分の全てにおいて周波数ｆ１が使用可能である場合（ステップＳ２４０４：Ｙｅｓ）は、基地局３２０は、そのときの緯度ｘにより、周波数ｆ１により無線通信が可能なエリアを近似し（ステップＳ２４０５）、一連の処理を終了する。基地局３２０は、ステップＳ２４０５における緯度ｘを含む範囲情報を無線信号により報知する。
【０１２６】
（エリアの分割）
図２５は、エリアの分割の一例を示す図である。図２５において、図１６−１または図２２に示した部分と同様の部分については同一の符号を付して説明を省略する。カバーエリア３２１の全ての経度において周波数ｆ１が使用可能なエリア２２０１の範囲情報に加えて、カバーエリア３２１の全ての経度において周波数ｆ２が使用可能なエリア２５０１の範囲情報を報知してもよい。
【０１２７】
これにより、カバーエリア３２１を、周波数ｆ１が使用可能なエリア２２０１と、周波数ｆ２が使用可能なエリア２５０１と、に分割することができる。基地局３２０は、たとえば、緯度ｘ１以上においては周波数ｆ１が使用可能であることを示す範囲情報を周波数ｆ１の無線信号により報知し、緯度ｘ１未満においては周波数ｆ２が使用可能であることを示す範囲情報を周波数ｆ２の無線信号により報知する。
【０１２８】
（エリアの分割処理）
図２６は、エリアの分割処理の一例を示すフローチャートである。まず、基地局３２０は、周波数ごとのＷＳエリアを算出する（ステップＳ２６０１）。つぎに、基地局３２０は、使用可能な周波数の中から、ステップＳ２６０１によって算出したＷＳエリアの面積が最も大きい周波数を選択する（ステップＳ２６０２）。
【０１２９】
つぎに、基地局３２０は、ステップＳ２６０２によって選択した周波数を無線通信に使用可能な近似エリアを算出する（ステップＳ２６０３）。つぎに、基地局３２０は、ステップＳ２６０３によって算出した近似エリアの各位置を、ステップＳ２６０１によって算出した他のＷＳエリアから除く（ステップＳ２６０４）。
【０１３０】
つぎに、基地局３２０は、使用可能な周波数のうちの未選択の周波数の中から、ＷＳエリアの面積が最も大きい周波数を選択する（ステップＳ２６０５）。つぎに、基地局３２０は、ステップＳ２６０５によって選択した周波数を無線通信に使用可能な近似エリアを算出する（ステップＳ２６０６）。
【０１３１】
つぎに、基地局３２０は、ステップＳ２６０２またはステップＳ２６０５によって選択した周波数のＷＳエリアの集合にカバーエリア３２１の全ての位置が含まれているか否かを判断する（ステップＳ２６０７）。ＷＳエリアの集合にカバーエリア３２１の全ての位置が含まれていない場合（ステップＳ２６０７：Ｎｏ）は、基地局３２０は、ステップＳ２６０４に戻る。ＷＳエリアの集合にカバーエリア３２１の全ての位置が含まれている場合（ステップＳ２６０７：Ｙｅｓ）は、基地局３２０は、一連の処理を終了する。
【０１３２】
（エリアの分割の具体例）
図２７は、エリアの分割の具体例を示す図である。図２６に示したエリアの分割処理により、カバーエリア３２１はたとえば図２７に示すように分割される。
【０１３３】
まず、ステップＳ２６０１によって、周波数ｆ１〜ｆｎの各ＷＳエリアが算出されたとする。そして、各ＷＳエリアの中で周波数ｆ１のＷＳエリアが最も大きく、ステップＳ２６０２によって周波数ｆ１が選択されたとする。状態２７０１に示すＷＳエリア２７１１は、周波数ｆ１のＷＳエリアである。つぎに、ステップＳ２６０３によって、ＷＳエリア２７１１の斜線部分が近似エリアとして算出される。ＷＳエリア２７１１の斜線部分の緯度ｘの最小値をｘ１とする。つぎに、ステップＳ２６０４によって、ＷＳエリア２７１１の斜線部分が、周波数ｆ２〜ｆｎの各ＷＳエリアから除かれる。
【０１３４】
つぎに、周波数ｆ２〜ｆｎの各ＷＳエリアの中で周波数ｆ２のＷＳエリアが最も大きく、ステップＳ２６０５によって周波数ｆ２が選択されたとする。状態２７０２に示すＷＳエリア２７１２は、周波数ｆ２のＷＳエリアのうちの、ＷＳエリア２７１１の斜線部の位置を除いたエリアである。つぎに、ステップＳ２６０６によって、ＷＳエリア２７１２の斜線部分が近似エリアとして算出される。ＷＳエリア２７１２の斜線部分の緯度ｘの最小値をｘ２とする。つぎに、ステップＳ２６０４によって、ＷＳエリア２７１２の斜線部分が、周波数ｆ３〜ｆｎの各ＷＳエリアから除かれる。
【０１３５】
つぎに、周波数ｆ３〜ｆｎの各ＷＳエリアの中で周波数ｆ３のＷＳエリアが最も大きく、ステップＳ２６０５によって周波数ｆ３が選択されたとする。状態２７０３に示すＷＳエリア２７１３は、周波数ｆ３のＷＳエリアのうちの、ＷＳエリア２７１１，２７１２の斜線部の各位置を除いたエリアである。つぎに、ステップＳ２６０６によって、ＷＳエリア２７１３の斜線部分（全域）が近似エリアとして算出される。
【０１３６】
これにより、カバーエリア３２１を、ＷＳエリア２７１１〜２７１３に分割することができる。具体的には、カバーエリア３２１のうちの緯度ｘがｘ１以上のエリアは、周波数ｆ１を使用可能なＷＳエリア２７１１となる。カバーエリア３２１のうちの緯度ｘがｘ１未満かつｘ２以上のエリアは、周波数ｆ２を使用可能なＷＳエリア２７１２となる。カバーエリア３２１のうちの緯度ｘがｘ２未満のエリアは、周波数ｆ３を使用可能なＷＳエリア２７１３となる。
【０１３７】
（エリアの分割の別の例）
図２８は、エリアの分割の別の例を示す図である。図２８において、白丸は、カバーエリア３２１のうちの周波数ｆ１がＷＳエリアではない各点を示している。黒丸は、カバーエリア３２１のうちの周波数ｆ１がＷＳエリアとなる各点を示している。基地局３２０は、図２８に示すように、カバーエリア３２１を傾きをつけて分割してもよい。
【０１３８】
この場合は、報知情報に含めるパラメータは、たとえば、直線ｙ＝ｔａｎθ（ｘ−ｘ０）におけるｘ０およびθである。具体的には、基地局３２０は、θについては全角度０°〜３６０°まで、ｘ０についてはカバーエリア３２１における両端の値ｘｍｉｎ〜ｘｍａｘまで変化させる。
【０１３９】
そして、基地局３２０は、カバーエリア３２１と直線ｙ＝ｔａｎθ（ｘ−ｘ０）で囲まれる点の全てがＷＳエリアである場合に、点の数Ｎを数える。基地局３２０は、数えた点の数Ｎが最大となるようなθおよびｘ０のパラメータθｍａｘおよびｘ０ｍａｘを算出し、最終的な形状をｙ＝ｔａｎθｍａｘ（ｘ−ｘ０ｍａｘ）とする。
【０１４０】
（エリアの分割処理の他の例）
図２９は、エリアの分割処理の他の一例を示すフローチャートである。基地局３２０は、エリアの分割処理としてたとえば以下の各ステップを実行する。まず、基地局３２０は、Ｎｍａｘをゼロに設定する（ステップＳ２９０１）。また、基地局３２０は、ｘ０をカバーエリア３２１の緯度ｘの最小値ｘｍｉｎに設定する（ステップＳ２９０２）。
【０１４１】
また、基地局３２０は、θを−１８０［°］に設定する（ステップＳ２９０３）。つぎに、基地局３２０は、カバーエリア３２１と直線ｙ＝ｔａｎθ（ｘ−ｘ０）で囲まれる各点を算出する（ステップＳ２９０４）。つぎに、基地局３２０は、ステップＳ２９０４によって算出した各点の全てがＷＳエリアか否かを判断する（ステップＳ２９０５）。
【０１４２】
ステップＳ２９０５において、各点の全てがＷＳエリアである場合（ステップＳ２９０５：Ｙｅｓ）は、基地局３２０は、算出した各点の数Ｎを算出する（ステップＳ２９０６）。つぎに、基地局３２０は、ステップＳ２９０６によって算出した数ＮがＮｍａｘより大きいか否かを判断する（ステップＳ２９０７）。
【０１４３】
ステップＳ２９０７において、算出した数ＮがＮｍａｘより大きくない場合（ステップＳ２９０７：Ｎｏ）は、基地局３２０は、ステップＳ２９１１へ移行する。算出した数ＮがＮｍａｘより大きい場合（ステップＳ２９０７：Ｙｅｓ）は、基地局３２０は、Ｎｍａｘに算出したＮを設定する（ステップＳ２９０８）。また、基地局３２０は、θｍａｘに現在のθを算出する（ステップＳ２９０９）。また、基地局３２０は、ｘ０ｍａｘに現在のｘ０を設定し（ステップＳ２９１０）、ステップＳ２９１１へ移行する。
【０１４４】
ステップＳ２９０５において、各点の全てがＷＳエリアでない場合（ステップＳ２９０５：Ｎｏ）は、基地局３２０は、現在のθに単位変化量Δθを加算する（ステップＳ２９１１）。つぎに、基地局３２０は、現在のθが１８０［°］より大きいか否かを判断する（ステップＳ２９１２）。θが１８０［°］より大きくない場合（ステップＳ２９１２：Ｎｏ）は、基地局３２０は、ステップＳ２９０４へ戻る。
【０１４５】
ステップＳ２９１２において、θが１８０［°］より大きい場合（ステップＳ２９１２：Ｙｅｓ）は、基地局３２０は、現在のｘ０に単位変化量Δｘを加算する（ステップＳ２９１３）。つぎに、基地局３２０は、現在のｘ０がｘｍａｘより大きいか否かを判断する（ステップＳ２９１４）。ｘ０がｘｍａｘより大きくない場合（ステップＳ２９１４：Ｎｏ）は、基地局３２０は、ステップＳ２９０３へ戻る。
【０１４６】
ステップＳ２９１４において、ｘ０がｘｍａｘより大きい場合（ステップＳ２９１４：Ｙｅｓ）は、基地局３２０は、一連の処理を終了する。以上の各ステップにより、カバーエリア３２１を分割する直線ｙ＝ｔａｎθ（ｘ−ｘ０）におけるθおよびｘ０を算出することができる。基地局３２０は、算出したθおよびｘ０を含む範囲情報を無線信号により報知する。
【０１４７】
このように、実施の形態３にかかる通信装置１００、移動通信装置２００および通信システム３００によれば、無線通信が可能な範囲を近似的に示す対応情報を無線信号により報知することで、カバーエリアに報知する情報の量を低減することができる。無線通信が可能な範囲を近似する方法については、上記で説明した、緯度や経度の範囲によって近似する方法や、直線ｙ＝ｔａｎθ（ｘ−ｘ０）によって近似する方法に限らない。たとえば、無線通信が可能な範囲を、特定の地点からの距離によって近似したり、地域（住所など）によって近似したりすることも可能である。
【０１４８】
また、実施の形態３において、実施の形態２と同様に、使用可能な周波数の中から、無線通信が可能な位置が多い周波数を選択し、選択した周波数の位置情報をカバーエリアへ報知することもできる。これにより、カバーエリアに報知する情報の量をさらに低減することができる。
【０１４９】
（実施の形態４）
実施の形態４にかかる通信装置１００、移動通信装置２００および通信システム３００について、実施の形態１〜３にかかる通信装置１００、移動通信装置２００および通信システム３００と異なる部分について説明する。
【０１５０】
（実施の形態４にかかる通信装置の構成）
図３０は、実施の形態４にかかる通信装置（その１）の構成を示す図である。図３０において、図１−１，図１−２に示した部分と同様の部分については同一の符号を付して説明を省略する。図３０に示すように、実施の形態４にかかる通信装置３０００（第二通信装置）は、特定部１１０と、取得部１３０と、送信部３０１０と、を備えている。このように、実施の形態４においては、実施の形態１〜３にかかる通信装置１００の特定部１１０および取得部１３０を、通信装置１００とは異なる通信装置３０００に設けてもよい。
【０１５１】
通信装置３０００は、たとえば図３に示したデータベースサーバ３４０に適用することができる。取得部１３０は、取得した周波数情報１３１を送信部３０１０へ出力する。送信部３０１０は、取得部１３０から出力された周波数情報１３１に基づく、位置ｐ２，…，ｐｍと使用可能な周波数とを対応付ける対応情報１４１を通信装置１００へ送信する。通信装置３０００による対応情報１４１の送信には、無線通信を用いてもよいし、有線通信を用いてもよい。
【０１５２】
通信装置３０００の特定部１１０は、たとえば図４−３に示したＣＰＵ４３１および補助メモリ４３３によって実現することができる。通信装置３０００の取得部１３０および送信部３０１０は、たとえばＣＰＵ４３１および通信インタフェース４３５によって実現することができる。
【０１５３】
図３１は、実施の形態４にかかる通信装置（その２）の構成を示す図である。図３１において、図１−１，図１−２に示した部分と同様の部分については同一の符号を付して説明を省略する。図３１に示すように、実施の形態４にかかる通信装置１００（第一通信装置）は、たとえば図１−１，図１−２に示した特定部１１０および取得部１３０に代えて受信部３１１０を備えている。受信部３１１０は、通信装置３０００によって送信された対応情報１４１を受信する。受信部３１１０は、受信した対応情報１４１を報知部１４０へ出力する。
【０１５４】
報知部１４０は、受信部３１１０から出力された対応情報１４１を、無線信号１４２により通信装置１００のカバーエリアへ報知する。このように、通信装置１００のカバーエリアの各位置の特定や対応情報１４１の取得を、対応情報１４１を報知する通信装置１００とは異なる通信装置３０００によって行ってもよい。受信部３１１０は、たとえば図４−１に示したＣＰＵ４１１および有線通信インタフェース４１６によって実現することができる。
【０１５５】
（実施の形態４にかかるデータベースサーバによる動作）
図３２は、実施の形態４にかかるデータベースサーバによる動作の一例を示すフローチャートである。まず、データベースサーバ３４０は、たとえば基地局３２０から通知される基地局３２０の送信電力や送信アンテナパターンなどに基づいて、基地局３２０のカバーエリア３２１の範囲を算出する（ステップＳ３２０１）。
【０１５６】
つぎに、データベースサーバ３４０は、ステップＳ３２０１によって算出したカバーエリア３２１の範囲に基づいて、カバーエリア３２１に含まれる各位置における使用可能な周波数をデータベース１２０から取得する（ステップＳ３２０２）。つぎに、データベースサーバ３４０は、ステップＳ３２０２によって取得した使用可能な周波数に基づいて、移動通信装置３３０との間の無線通信が可能な位置を示す位置情報を周波数ごとに生成する（ステップＳ３２０３）。
【０１５７】
つぎに、データベースサーバ３４０は、ステップＳ３２０３によって算出した周波数ごとの位置情報を基地局３２０へ送信し（ステップＳ３２０４）、一連の動作を終了する。以上の各ステップにより、データベースサーバ３４０は、カバーエリア３２１の各位置における使用可能な周波数をデータベース１２０から取得して基地局３２０へ送信することができる。
【０１５８】
（実施の形態４にかかる基地局による動作）
図３３は、実施の形態４にかかる基地局３２０による動作の一例を示すフローチャートである。基地局３２０は、たとえば自身の電源投入タイミングや、自身の送信電力が変更された場合に、以下の各ステップを実行する。まず、基地局３２０は、自局の送信電力をデータベースサーバ３４０へ通知する（ステップＳ３３０１）。つぎに、基地局３２０は、周波数ごとの位置情報をデータベースサーバ３４０から受信したか否かを判断し（ステップＳ３３０２）、受信するまで待つ（ステップＳ３３０２：Ｎｏのループ）。
【０１５９】
ステップＳ３３０２において、周波数ごとの位置情報をデータベースサーバ３４０から受信すると（ステップＳ３３０２：Ｙｅｓ）、基地局３２０は、受信した周波数ごとの位置情報の無線信号による送信を開始し（ステップＳ３３０３）、一連の動作を終了する。以上の各ステップにより、基地局３２０は、カバーエリア３２１の各位置における使用可能な周波数をカバーエリア３２１で報知することができる。
【０１６０】
このように、実施の形態４にかかる通信装置１００および通信システム３００によれば、通信装置１００のカバーエリアの各位置の特定や対応情報の取得を、対応情報１４１を報知する通信装置１００とは異なる通信装置３０００によって行うことができる。
【０１６１】
ここでは実施の形態１においてカバーエリアの各位置の特定や対応情報の取得を通信装置３０００によって行う構成について説明したが、実施の形態２，３においてカバーエリアの各位置の特定や対応情報の取得を通信装置３０００によって行う構成としてもよい。たとえば、実施の形態２にかかる通信装置１００の選択部１５１０を、通信装置１００から省いて通信装置３０００に設けてもよい。また、実施の形態３にかかる通信装置１００の算出部２０１０を、通信装置１００から省いて通信装置３０００に設けてもよい。
【０１６２】
以上説明したように、通信装置、移動通信装置、通信システムおよび通信方法によれば、周波数の利用効率の向上を図ることができる。
【０１６３】
上述した実施の形態に関し、さらに以下の付記を開示する。
【０１６４】
（付記１）移動通信装置との間で無線通信が可能な自装置のカバーエリアに含まれる各位置を特定する特定部と、
前記移動通信装置がアクセス不能なデータベースから、前記特定部によって特定された各位置において前記無線通信に使用可能な周波数を示す周波数情報を取得する取得部と、
前記取得部によって取得された周波数情報に基づく、前記各位置と前記使用可能な周波数とを対応付ける対応情報を無線信号により前記カバーエリアへ報知する報知部と、
を備えることを特徴とする通信装置。
【０１６５】
（付記２）前記報知部は、前記カバーエリアのうちの前記使用可能な周波数により前記無線通信が可能な位置を示す前記対応情報を、前記使用可能な周波数と同じ周波数の無線信号により報知することを特徴とする付記１に記載の通信装置。
【０１６６】
（付記３）前記報知部は、前記使用可能な周波数のそれぞれを対象周波数として、前記カバーエリアのうちの前記対象周波数により前記無線通信が可能な位置を示す前記対応情報を前記対象周波数の無線信号により報知することを特徴とする付記２に記載の通信装置。
【０１６７】
（付記４）前記使用可能な周波数の中から、前記使用可能な周波数の他の周波数よりも前記無線通信が可能な位置が多い周波数を選択する選択部を備え、
前記報知部は、前記選択部によって選択された周波数と前記各位置とを対応付ける前記対応情報を前記カバーエリアへ報知することを特徴とする付記１に記載の通信装置。
【０１６８】
（付記５）前記報知部は、前記カバーエリアのうちの前記使用可能な周波数により前記無線通信が可能な範囲を近似的に示す前記対応情報を無線信号により報知することを特徴とする付記１に記載の通信装置。
【０１６９】
（付記６）前記対応情報は、前記カバーエリアのうちの、各経度において前記使用可能な周波数により前記無線通信が可能な緯度の範囲、または各緯度において前記使用可能な周波数により前記無線通信が可能な経度の範囲を示す情報であることを特徴とする付記５に記載の通信装置。
【０１７０】
（付記７）前記使用可能な周波数は、前記無線通信の通信システムとは異なる特定の通信システムにおいて使用されていない周波数であることを特徴とする付記１〜６のいずれか一つに記載の通信装置。
【０１７１】
（付記８）他の通信装置によって前記通信装置のカバーエリアへ報知される無線信号を受信する受信部と、
前記受信部によって受信された無線信号から、前記カバーエリアに含まれる各位置と、前記各位置において前記通信装置との間の無線通信に使用可能な周波数と、を対応付ける対応情報を取得する取得部と、
自装置の位置を特定する特定部と、
前記特定部によって特定された位置に対応する前記使用可能な周波数を、前記取得部によって取得された対応情報から検索する検索部と、
前記検索部によって検索された周波数によって前記通信装置との間で前記無線通信を行う通信部と、
を備えることを特徴とする移動通信装置。
【０１７２】
（付記９）前記受信部は、前記使用可能な周波数の候補の周波数の前記無線信号を受信し、
前記取得部は、前記受信部によって受信された前記候補の周波数の無線信号から、前記各位置のうちの前記候補の周波数により前記無線通信が可能な位置を示す前記対応情報を取得することを特徴とする付記８に記載の移動通信装置。
【０１７３】
（付記１０）前記受信部によって受信された無線信号に基づいて、前記検索部によって検索された周波数における前記通信装置との間の通信品質を測定する測定部と、
前記測定部によって測定された通信品質に基づいて、前記検索部によって検索された周波数の中から使用する周波数を選択する選択部と、
を備え、前記通信部は、前記選択部によって選択された周波数によって前記通信装置との間で前記無線通信を行うことを特徴とする付記８または９に記載の移動通信装置。
【０１７４】
（付記１１）前記選択部は、前記特定部によって特定された周波数の中から、前記測定部によって測定された通信品質が最も高い周波数を選択することを特徴とする付記１０に記載の移動通信装置。
【０１７５】
（付記１２）移動通信装置との間で無線通信が可能な自装置のカバーエリアに含まれる各位置を特定し、前記移動通信装置がアクセス不能なデータベースから、特定した各位置において前記無線通信に使用可能な周波数を示す周波数情報を取得し、取得した周波数情報に基づく、前記各位置と前記使用可能な周波数とを対応付ける対応情報を無線信号により前記カバーエリアへ報知する通信装置と、
前記通信装置から前記通信装置のカバーエリアへ報知される無線信号を受信し、受信した無線信号から前記対応情報を取得し、自装置の位置を特定し、特定した位置に対応する前記使用可能な周波数を、取得した対応情報から検索し、検索した周波数によって前記通信装置との間で前記無線通信を行う移動通信装置と、
を含むことを特徴とする通信システム。
【０１７６】
（付記１３）通信装置と移動通信装置との間で無線通信が可能な前記通信装置のカバーエリアに含まれる各位置を特定し、
前記移動通信装置がアクセス不能なデータベースから、特定した各位置において前記無線通信に使用可能な周波数を示す周波数情報を取得し、
取得した周波数情報に基づく、前記各位置と前記使用可能な周波数とを対応付ける対応情報を前記通信装置が無線信号により前記カバーエリアへ報知し、
前記無線信号を前記移動通信装置が受信し、
受信した前記無線信号から前記対応情報を取得し、
前記移動通信装置の位置を特定し、
特定した前記位置に対応する前記使用可能な周波数を、取得した前記対応情報から検索し、
検索した前記周波数によって前記通信装置と前記移動通信装置との間で前記無線通信を行うことを特徴とする通信方法。
【０１７７】
（付記１４）他の通信装置と移動通信装置との間で無線通信が可能な前記他の通信装置のカバーエリアに含まれる各位置を特定する特定部と、
前記移動通信装置がアクセス不能なデータベースから、前記特定部によって特定された各位置において前記無線通信に使用可能な周波数を示す周波数情報を取得する取得部と、
前記取得部によって取得された周波数情報に基づく、前記各位置と前記使用可能な周波数とを対応付ける対応情報を前記他の通信装置へ送信する送信部と、
を備えることを特徴とする通信装置。
【０１７８】
（付記１５）移動通信装置と、
自装置のカバーエリアに位置する前記移動通信装置との間で無線通信を行う第一通信装置と、
前記カバーエリアに含まれる各位置を特定し、前記移動通信装置がアクセス不能なデータベースから、特定した各位置において前記無線通信に使用可能な周波数を示す周波数情報を取得し、取得した周波数情報に基づく、前記各位置と前記使用可能な周波数とを対応付ける対応情報を送信する第二通信装置と、
を含み、
前記第一通信装置は、前記第二通信装置によって送信された対応情報を無線信号により前記カバーエリアへ報知し、
前記移動通信装置は、前記第一通信装置から報知される無線信号を受信し、受信した無線信号から前記対応情報を取得し、自装置の位置を特定し、特定した位置に対応する前記使用可能な周波数を、取得した対応情報から検索し、検索した周波数によって前記第一通信装置との間で前記無線通信を行うことを特徴とする通信システム。
【符号の説明】
【０１７９】
１１１，１５１〜１５３，２３１，７０１  位置情報
１３１，２４１，２７１  周波数情報
１４１  対応情報
１４２，１６１〜１６３，１３０１〜１３０３  無線信号
２００，３３０，１６２１，１６２２  移動通信装置
２６１  品質情報
３００  通信システム
３１０  電波塔
３１１  禁止エリア
３２０  基地局
３２１  カバーエリア
３４０  データベースサーバ
４１０，４２０，４３０  情報処理装置
４１９，４２９，４３９  バス
１２００  送信フレーム
１２１０  報知信号スロット
１４０１〜１４０３  受信信号
１４１１〜１４１３  フィルタ
１６１１〜１６１ｎ，２７１１〜２７１３  ＷＳエリア
２０１１〜２０１３  範囲情報
２２０１，２５０１  エリア
【図１−１】
0005871015.tif 000003
【図１−２】
0005871015.tif 000004
【図２−１】
0005871015.tif 000005
【図２−２】
0005871015.tif 000006
【図２−３】
0005871015.tif 000007
【図３】
0005871015.tif 000008
【図４−１】
0005871015.tif 000009
【図４−２】
0005871015.tif 000010
【図４−３】
0005871015.tif 000011
【図５】
0005871015.tif 000012
【図６】
0005871015.tif 000013
【図７】
0005871015.tif 000014
【図８】
0005871015.tif 000015
【図９】
0005871015.tif 000016
【図１０】
0005871015.tif 000017
【図１１】
0005871015.tif 000018
【図１２】
0005871015.tif 000019
【図１３】
0005871015.tif 000020
【図１４】
0005871015.tif 000021
【図１５】
0005871015.tif 000022
【図１６−１】
0005871015.tif 000023
【図１６−２】
0005871015.tif 000024
【図１７】
0005871015.tif 000025
【図１８】
0005871015.tif 000026
【図１９】
0005871015.tif 000027
【図２０】
0005871015.tif 000028
【図２１】
0005871015.tif 000029
【図２２】
0005871015.tif 000030
【図２３】
0005871015.tif 000031
【図２４】
0005871015.tif 000032
【図２５】
0005871015.tif 000033
【図２６】
0005871015.tif 000034
【図２７】
0005871015.tif 000035
【図２８】
0005871015.tif 000036
【図２９】
0005871015.tif 000037
【図３０】
0005871015.tif 000038
【図３１】
0005871015.tif 000039
【図３２】
0005871015.tif 000040
【図３３】
0005871015.tif 000041